【手続補正書】
【提出日】平成17年1月25日(2005.1.25)
【手続補正１】
【補正対象書類名】明細書
【補正対象項目名】特許請求の範囲
【補正方法】変更
【補正の内容】
【特許請求の範囲】
【請求項１】
受信信号を同一の周波数で再送信する場合に発生する送受信アンテナ間の回り込みを除去する回り込みキャンセラであって、
入力信号から回り込み信号の複製を減じる減算器と、
前記減算器の出力にタップ係数を畳み込み、回り込み信号の複製を生成するＦＩＲ（Finite Impulse Response：有限インパルス応答）フィルタと、
前記減算器の出力を用いて、回り込みの伝送路特性を推定し、前記ＦＩＲフィルタの係数を生成するフィルタ係数生成部とを備え、
前記フィルタ係数生成部は、
時間領域の信号である前記減算器の出力を周波数領域の信号へと変換するＦＦＴ（Fast Fourier Transform：高速フーリエ変換）手段と、
前記ＦＦＴ手段の出力に含まれるパイロットキャリアを規定の振幅と位相を有するパイロット信号で除することにより、前記パイロットキャリアに対する伝送路特性を推定する第一の複素除算手段と、
前記第一の複素除算手段の出力を補間し、信号帯域全体に対する伝送路特性を推定する第一の補間手段と、
前記ＦＦＴ手段の出力を前記第一の補間手段の出力で除することにより、伝送路歪の影響を補償する第二の複素除算手段と、
前記第二の複素除算手段の出力を各々のキャリアの変調方式に応じた閾値群で弁別する判定手段と、
前記判定手段の出力を各々のキャリアに応じた変調方式で変調する変調手段と、
前記ＦＦＴ手段の出力を前記変調手段の出力で除することにより、信号帯域全体に対する伝送路特性を推定する第三の複素除算手段と、
前記第三の複素除算手段の出力を用いて、キャンセル残差を算出する残差算出手段と、
前記残差算出手段の出力を、時間領域の信号に変換するＩＦＦＴ（Inverse Fast Fourier Transform：逆高速フーリエ変換）手段と、
前記ＩＦＦＴ手段の出力から、前記ＦＩＲフィルタの係数を生成する係数更新手段とを備えることを特徴とする回り込みキャンセラ。
【請求項２】
受信信号を同一の周波数で再送信する場合に発生する送受信アンテナ間の回り込みを除去する回り込みキャンセラであって、
入力信号から回り込み信号の複製を減じる減算器と、
前記減算器の出力にタップ係数を畳み込み、回り込み信号の複製を生成するＦＩＲ（Finite Impulse Response：有限インパルス応答）フィルタと、
前記減算器の出力を用いて、回り込みの伝送路特性を推定し、前記ＦＩＲフィルタの係数を生成するフィルタ係数生成部とを備え、
前記フィルタ係数生成部は、
時間領域の信号である前記減算器の出力を周波数領域の信号へと変換するＦＦＴ（Fast Fourier Transform：高速フーリエ変換）手段と、
前記ＦＦＴ手段の出力に含まれるパイロットキャリアを規定の振幅と位相を有するパイロット信号で除することにより、前記パイロットキャリアに対する伝送路特性を推定する第一の複素除算手段と、
前記第一の複素除算手段の出力を補間し、信号帯域全体に対する伝送路特性を推定する第一の補間手段と、
前記ＦＦＴ手段の出力を前記第一の補間手段の出力で除することにより、伝送路歪の影響を補償する第二の複素除算手段と、
前記第二の複素除算手段の出力を各々のキャリアの変調方式に応じた閾値群で弁別する判定手段と、
前記判定手段の出力を各々のキャリアに応じた変調方式で変調する変調手段と、
前記ＦＦＴ手段の出力を前記変調手段の出力で除することにより、信号帯域全体に対する伝送路特性を推定する第三の複素除算手段と、
パイロットキャリアに対しては、前記第一の複素除算手段の出力を選択し、他のキャリアに関しては前記第三の複素除算手段の出力を選択し、出力する選択手段と、
前記選択手段の出力を用いて、キャンセル残差を算出する残差算出手段と、
前記残差算出手段の出力を、時間領域の信号に変換するＩＦＦＴ（Inverse Fast Fourier Transform：逆高速フーリエ変換）手段と、
前記ＩＦＦＴ手段の出力から、前記ＦＩＲフィルタの係数を生成する係数更新手段とを備えることを特徴とする回り込みキャンセラ。
【請求項３】
受信信号を同一の周波数で再送信する場合に発生する送受信アンテナ間の回り込みを除去する回り込みキャンセラであって、
入力信号から回り込み信号の複製を減じる減算器と、
前記減算器の出力にタップ係数を畳み込み、回り込み信号の複製を生成するＦＩＲ（Finite Impulse Response：有限インパルス応答）フィルタと、
前記減算器の出力を用いて、回り込みの伝送路特性を推定し、前記ＦＩＲフィルタの係数を生成するフィルタ係数生成部とを備え、
前記フィルタ係数生成部は、
時間領域の信号である前記減算器の出力を周波数領域の信号へと変換するＦＦＴ（Fast Fourier Transform：高速フーリエ変換）手段と、
前記ＦＦＴ手段の出力に含まれるパイロットキャリアを規定の振幅と位相を有するパイロット信号で除することにより、前記パイロットキャリアに対する伝送路特性を推定する第一の複素除算手段と、
前記第一の複素除算手段の出力を補間し、信号帯域全体に対する伝送路特性を推定する第一の補間手段と、
前記ＦＦＴ手段の出力を前記第一の補間手段の出力で除することにより、伝送路歪の影響を補償する第二の複素除算手段と、
前記第二の複素除算手段の出力を各々のキャリアの変調方式に応じた閾値群で弁別する判定手段と、
前記判定手段の出力を各々のキャリアに応じた変調方式で変調する変調手段と、
前記ＦＦＴ手段の出力を前記変調手段の出力で除することにより、信号帯域全体に対する伝送路特性を推定する第三の複素除算手段と、
前記第一の複素除算手段の出力を補間し、信号帯域全体に対する伝送路特性を推定する第二の補間手段と、
前記第三の複素除算手段が出力する伝送路特性の信頼性を算出する信頼性算出手段と、
前記信頼性算出手段の出力に応じて、前記第二の補間手段の出力と、前記第三の複素除算手段の出力とを重み付け加算して出力する合成手段と、
前記合成手段の出力を用いて、キャンセル残差を算出する残差算出手段と、
前記残差算出手段の出力を、時間領域の信号に変換するＩＦＦＴ（Inverse Fast Fourier Transform：逆高速フーリエ変換）手段と、
前記ＩＦＦＴ手段の出力から、前記ＦＩＲフィルタの係数を生成する係数更新手段を備えることを特徴とする回り込みキャンセラ。
【請求項４】
受信信号を同一の周波数で再送信する場合に発生する送受信アンテナ間の回り込みを除去する回り込みキャンセラであって、
入力信号から回り込み信号の複製を減じる減算器と、
前記減算器の出力にタップ係数を畳み込み、回り込み信号の複製を生成するＦＩＲ（Finite Impulse Response：有限インパルス応答）フィルタと、
前記減算器の出力を用いて、回り込みの伝送路特性を推定し、前記ＦＩＲフィルタの係数を生成するフィルタ係数生成部とを備え、
前記フィルタ係数生成部は、
時間領域の信号である前記減算器の出力を周波数領域の信号へと変換するＦＦＴ（Fast Fourier Transform：高速フーリエ変換）手段と、
前記ＦＦＴ手段の出力に含まれるパイロットキャリアを規定の振幅と位相を有するパイロット信号で除することにより、前記パイロットキャリアに対する伝送路特性を推定する第一の複素除算手段と、
前記第一の複素除算手段の出力を補間し、信号帯域全体に対する伝送路特性を推定する第一の補間手段と、
前記ＦＦＴ手段の出力を前記第一の補間手段の出力で除することにより、伝送路歪の影響を補償する第二の複素除算手段と、
前記第二の複素除算手段の出力を各々のキャリアの変調方式に応じた閾値群で弁別する判定手段と、
前記判定手段の出力を各々のキャリアに応じた変調方式で変調する変調手段と、
前記ＦＦＴ手段の出力を前記変調手段の出力で除することにより、信号帯域全体に対する伝送路特性を推定する第三の複素除算手段と、
前記第一の複素除算手段の出力を補間し、信号帯域全体に対する伝送路特性を推定する第二の補間手段と、
前記第三の複素除算手段が出力する伝送路特性の信頼性を算出する信頼性算出手段と、
前記信頼性算出手段の出力に応じて、前記第二の補間手段の出力と、前記第三の複素除算手段の出力とを重み付け加算して出力する合成手段と、
前記合成手段の出力を平滑化する平滑化手段と、
前記平滑化手段の出力を用いて、キャンセル残差を算出する残差算出手段と、
前記残差算出手段の出力を、時間領域の信号に変換するＩＦＦＴ（Inverse Fast Fourier Transform：逆高速フーリエ変換）手段と、
前記ＩＦＦＴ手段の出力から、前記ＦＩＲフィルタの係数を生成する係数更新手段とを備えることを特徴とする回り込みキャンセラ。
【請求項５】
前記信頼性算出手段は、前記変調手段の出力と前記第二の複素乗算手段の出力との差分に基づき、前記第三の複素除算手段が出力する伝送路特性の信頼性を算出することを特徴とする請求項３または請求項４記載の回り込みキャンセラ。
【請求項６】
前記信頼性算出手段は、前記第一の補間手段の出力の大きさに基づき、前記第三の複素除算手段が出力する伝送路特性の信頼性を算出することを特徴とする請求項３または請求項４記載の回り込みキャンセラ。
【請求項７】
前記信頼性算出手段の出力が二値情報であり、前記信頼性算出手段の出力に応じて、前記第二の補間手段の出力と前記第三の複素除算手段の出力とを選択して出力する選択手段を、前記合成手段の代わりに備えることを特徴とする請求項３または請求項４記載の回り込みキャンセラ。
【手続補正２】
【補正対象書類名】明細書
【補正対象項目名】００３９
【補正方法】変更
【補正の内容】
【００３９】
図１３においては、タイムスロット（ｉ）からタイムスロット（ｉ＋３）に到来したシンボルに含まれるＳＰ信号を用いて、タイムスロット（ｉ＋４）で伝送路特性の推定及び係数の算出を行い、タイムスロット（ｉ＋５）の先頭で係数を更新する。そして、この更新が反映されたシンボル、即ちタイムスロット（ｉ＋５）からタイムスロット（ｉ＋８）に到来するシンボルから次の係数を算出し、タイムスロット（ｉ＋１０）の先頭で係数を更新する。
【手続補正３】
【補正対象書類名】明細書
【補正対象項目名】００４４
【補正方法】変更
【補正の内容】
【００４４】
本発明の回り込みキャンセラは、受信信号を同一の周波数で再送信する場合に発生する送受信アンテナ間の回り込みを除去する回り込みキャンセラであって、入力信号から回り込み信号の複製を減じる減算器と、前記減算器の出力にタップ係数を畳み込み、回り込み信号の複製を生成するＦＩＲフィルタと、前記減算器の出力を用いて、回り込みの伝送路特性を推定し、前記ＦＩＲフィルタの係数を生成するフィルタ係数生成部とを具備して構成され、前記フィルタ係数生成部は、時間領域の信号である前記減算器の出力を周波数領域の信号へと変換するＦＦＴ手段と、前記ＦＦＴ手段の出力に含まれるパイロットキャリアを規定の振幅と位相を有するパイロット信号で除することにより、前記パイロットキャリアに対する伝送路特性を推定する第一の複素除算手段と、前記第一の複素除算手段の出力を補間し、信号帯域全体に対する伝送路特性を推定する第一の補間手段と、前記ＦＦＴ手段の出力を前記第一の補間手段の出力で除することにより、伝送路歪の影響を補償する第二の複素除算手段と、前記第二の複素除算手段の出力を各々のキャリアの変調方式に応じた閾値群で弁別する判定手段と、前記判定手段の出力を各々のキャリアに応じた変調方式で変調する変調手段と、前記ＦＦＴ手段の出力を前記変調手段の出力で除することにより、信号帯域全体に対する伝送路特性を推定する第三の複素除算手段と、前記第三の複素除算手段の出力を用いて、キャンセル残差を算出する残差算出手段と、前記残差算出手段の出力を、時間領域の信号に変換するＩＦＦＴ手段と、前記ＩＦＦＴ手段の出力から、前記ＦＩＲフィルタの係数を生成する係数更新手段とを具備する構成を採る。
【手続補正４】
【補正対象書類名】明細書
【補正対象項目名】００４６
【補正方法】変更
【補正の内容】
【００４６】
本発明の回り込みキャンセラは、受信信号を同一の周波数で再送信する場合に発生する送受信アンテナ間の回り込みを除去する回り込みキャンセラであって、入力信号から回り込み信号の複製を減じる減算器と、前記減算器の出力にタップ係数を畳み込み、回り込み信号の複製を生成するＦＩＲフィルタと、前記減算器の出力を用いて、回り込みの伝送路特性を推定し、前記ＦＩＲフィルタの係数を生成するフィルタ係数生成部とを具備して構成され、前記フィルタ係数生成部は、時間領域の信号である前記減算器の出力を周波数領域の信号へと変換するＦＦＴ手段と、前記ＦＦＴ手段の出力に含まれるパイロットキャリアを規定の振幅と位相を有するパイロット信号で除することにより、前記パイロットキャリアに対する伝送路特性を推定する第一の複素除算手段と、前記第一の複素除算手段の出力を補間し、信号帯域全体に対する伝送路特性を推定する第一の補間手段と、前記ＦＦＴ手段の出力を前記第一の補間手段の出力で除することにより、伝送路歪の影響を補償する第二の複素除算手段と、前記第二の複素除算手段の出力を各々のキャリアの変調方式に応じた閾値群で弁別する判定手段と、前記判定手段の出力を各々のキャリアに応じた変調方式で変調する変調手段と、前記ＦＦＴ手段の出力を前記変調手段の出力で除することにより、信号帯域全体に対する伝送路特性を推定する第三の複素除算手段と、パイロットキャリアに対しては、前記第一の複素除算手段の出力を選択し、他のキャリアに関しては前記第三の複素除算手段の出力を選択し、出力する選択手段と、前記選択手段の出力を用いて、キャンセル残差を算出する残差算出手段と、前記残差算出手段の出力を、時間領域の信号に変換するＩＦＦＴ手段と、前記ＩＦＦＴ手段の出力から、前記ＦＩＲフィルタの係数を生成する係数更新手段とを具備する構成を採る。
【手続補正５】
【補正対象書類名】明細書
【補正対象項目名】００４８
【補正方法】変更
【補正の内容】
【００４８】
本発明の回り込みキャンセラは、受信信号を同一の周波数で再送信する場合に発生する送受信アンテナ間の回り込みを除去する回り込みキャンセラであって、入力信号から回り込み信号の複製を減じる減算器と、前記減算器の出力にタップ係数を畳み込み、回り込み信号の複製を生成するＦＩＲフィルタと、前記減算器の出力を用いて、回り込みの伝送路特性を推定し、前記ＦＩＲフィルタの係数を生成するフィルタ係数生成部とを具備して構成され、前記フィルタ係数生成部は、時間領域の信号である前記減算器の出力を周波数領域の信号へと変換するＦＦＴ手段と、前記ＦＦＴ手段の出力に含まれるパイロットキャリアを規定の振幅と位相を有するパイロット信号で除することにより、前記パイロットキャリアに対する伝送路特性を推定する第一の複素除算手段と、前記第一の複素除算手段の出力を補間し、信号帯域全体に対する伝送路特性を推定する第一の補間手段と、前記ＦＦＴ手段の出力を前記第一の補間手段の出力で除することにより、伝送路歪の影響を補償する第二の複素除算手段と、前記第二の複素除算手段の出力を各々のキャリアの変調方式に応じた閾値群で弁別する判定手段と、前記判定手段の出力を各々のキャリアに応じた変調方式で変調する変調手段と、前記ＦＦＴ手段の出力を前記変調手段の出力で除することにより、信号帯域全体に対する伝送路特性を推定する第三の複素除算手段と、前記第一の複素除算手段の出力を補間し、信号帯域全体に対する伝送路特性を推定する第二の補間手段と、前記第三の複素除算手段が出力する伝送路特性の信頼性を算出する信頼性算出手段と、前記信頼性算出手段の出力に応じて、前記第二の補間手段の出力と、前記第三の複素除算手段の出力とを重み付け加算して出力する合成手段と、前記合成手段の出力を用いて、キャンセル残差を算出する残差算出手段と、前記残差算出手段の出力を、時間領域の信号に変換するＩＦＦＴ手段と、前記ＩＦＦＴ手段の出力から、前記ＦＩＲフィルタの係数を生成する係数更新手段とを具備する構成を採る。
【手続補正６】
【補正対象書類名】明細書
【補正対象項目名】００５０
【補正方法】変更
【補正の内容】
【００５０】
本発明の回り込みキャンセラは、受信信号を同一の周波数で再送信する場合に発生する送受信アンテナ間の回り込みを除去する回り込みキャンセラであって、入力信号から回り込み信号の複製を減じる減算器と、前記減算器の出力にタップ係数を畳み込み、回り込み信号の複製を生成するＦＩＲフィルタと、前記減算器の出力を用いて、回り込みの伝送路特性を推定し、前記ＦＩＲフィルタの係数を生成するフィルタ係数生成部とを具備して構成され、前記フィルタ係数生成部は、時間領域の信号である前記減算器の出力を周波数領域の信号へと変換するＦＦＴ手段と、前記ＦＦＴ手段の出力に含まれるパイロットキャリアを規定の振幅と位相を有するパイロット信号で除することにより、前記パイロットキャリアに対する伝送路特性を推定する第一の複素除算手段と、前記第一の複素除算手段の出力を補間し、信号帯域全体に対する伝送路特性を推定する第一の補間手段と、前記ＦＦＴ手段の出力を前記第一の補間手段の出力で除することにより、伝送路歪の影響を補償する第二の複素除算手段と、前記第二の複素除算手段の出力を各々のキャリアの変調方式に応じた閾値群で弁別する判定手段と、前記判定手段の出力を各々のキャリアに応じた変調方式で変調する変調手段と、前記ＦＦＴ手段の出力を前記変調手段の出力で除することにより、信号帯域全体に対する伝送路特性を推定する第三の複素除算手段と、前記第一の複素除算手段の出力を補間し、信号帯域全体に対する伝送路特性を推定する第二の補間手段と、前記第三の複素除算手段が出力する伝送路特性の信頼性を算出する信頼性算出手段と、前記信頼性算出手段の出力に応じて、前記第二の補間手段の出力と、前記第三の複素除算手段の出力とを重み付け加算して出力する合成手段と、前記合成手段の出力を平滑化する平滑化手段と、前記平滑化手段の出力を用いて、キャンセル残差を算出する残差算出手段と、前記残差算出手段の出力を、時間領域の信号に変換するＩＦＦＴ手段と、前記ＩＦＦＴ手段の出力から、前記ＦＩＲフィルタの係数を生成する係数更新手段とを具備する構成を採る。
【手続補正７】
【補正対象書類名】図面
【補正対象項目名】図１３
【補正方法】変更
【補正の内容】
【図１３】
2003298548.tif 000001